(57)【要約】【課題】ストランドを切断する際に上部送出しローラの回転を阻害することなく、ストランドの暴れを防止することができるようにしたストランド切断機のストランド送出し装置を提供する。【解決手段】ストランド送出し装置２０は、固定刃１２と回転体１０に装着された回転刃１１とを対向させ、固定刃１２側からストランドを挿入して切断する装置であり、支持部材２４に回転自在に枢支された上部送出しローラ２２と、下部送出しローラ２３とがストランドを挟んで送り出し、これらローラ２２，２３によって送り出されるストランドの進行方向の固定刃１２手前でストランドの上方にはストランドの跳上りを止める跳上り防止部材３０が配置され、跳上り防止部材３０は、アーム３１の基端部３３が上部送出しローラ２２の回転軸２２ａと同軸に支持部材２４に枢支され、アーム３１の先端部にはストランドの跳上りを抑える抑止部３２を有している。【選択図】図１
2007152865.tif 000002
【特許請求の範囲】
【請求項１】
固定刃と、回転体に装着された回転刃とを対向させ、前記固定刃側からストランドを挿入してペレット状に切断するストランド切断機のストランド送出し装置において、
ストランドを上下から挟んで送り出す上部送出しローラおよび下部送出しローラと、前記上部送出しローラを回転自在に枢支する支持部材と、前記上部送出しローラおよび下部送出しローラによって送り出されたストランドの進行方向の前記固定刃手前で前記ストランドの上方に配置され、前記ストランドの跳上りを止める跳上り防止部材と、を備え、
前記跳上り防止部材は、基端部が前記支持部材に枢支されたアームと、該アームの先端部に設けられ、前記ストランドの跳上りを抑える抑止部と、を有し、
前記アームの基端部は、前記上部送出しローラの回転軸と同軸に前記支持部材に枢支されたことを特徴とするストランド送出し装置。
【請求項２】
前記跳上り防止部材の抑止部は、前記送り出されるストランドに面し、該ストランドの進行方向に交差する方向に延びる跳上り抑止面を有し、前記上部送出しローラに接触することなく配設されたことを特徴とする請求項１に記載のストランド送出し装置。
【発明の詳細な説明】
【技術分野】
【０００１】
本発明は、固定刃と、回転体に装着された回転刃とを対向させ、固定刃側からストランドを挿入してペレット状に切断するストランド切断機のストランド送出し装置に関する。
【背景技術】
【０００２】
従来、この種のストランド送出し装置を備えたストランド切断機としては、本出願人が提案した特許第２７５６３７０号のものがある。
【０００３】
すなわち、ストランド送出し装置は、上部送出しローラを支持する支持部材に設けられた軸受孔に跳上り防止部材の軸が挿通されており、跳上り防止部材は、回動自在に支持されて、ストランドを切断する際の暴れを防止するものである。
【０００４】
【特許文献１】特許第２７５６３７０号公報
【発明の開示】
【発明が解決しようとする課題】
【０００５】
しかしながら、このような従来の技術では、前記特許文献１の第２２図に示されているように跳上り防止部材の軸が支持部材の下端部に支持されているので、ストランドの切断時に生じるストランドの上下方向の暴れの大きさによっては、その暴れを吸収した跳上り防止部材が上部送出しローラに当たって、上部送出しローラの回転を阻害するおそれがある。このため、跳上り防止部材の上部と上部送出しローラとの間隙を大きく取る必要がある。
【０００６】
ところが、跳上り防止部材の上部と上部送出しローラとの間隙を大きく取ると、ストランドを切断した後のペレットの大きさによっては、ペレットが間隙に入り込んで跳上り防止部材の動作を阻害するおそれがある。
【０００７】
また、同様に跳上り防止部材の下部と上部送出しローラとの間隙も跳上り防止部材の動作によって変化するので、跳上り防止部材の下部が上がったときに上部送出しローラの回転を阻害しないようにそれらの間隙の大きさを調整する必要がある。しかし、跳上り防止部材の下部が下がったときには上部送出しローラとの間隙が大きくなるためにストランドがその間隙に入り込んで跳上り防止部材の動作を阻害するおそれがある。
【０００８】
さらに、上部送出しローラは、金属の駆動ローラに接触することによって回転するものであり、駆動ローラとの間にストランドを通して送り出しているが、ゴム巻きローラなので回転が阻害されると駆動ローラによって削られてしまうおそれがある。
【０００９】
このように特許文献１の技術は、ストランドを切断する際の暴れを防止できるものであるが、上部送出しローラと跳上り防止部材との構成には改善すべき点があった。
【００１０】
本発明は、このような従来の技術が有する改善すべき点に着目してなされたもので、上部送出しローラと跳上り防止部材との間隙が一定であり、ストランドを切断する際に上部送出しローラの回転を阻害することなく、ストランドの暴れを防止することができるようにしたストランド切断機のストランド送出し装置を提供することを目的としている。
【課題を解決するための手段】
【００１１】
かかる目的を達成するための本発明の要旨とするところは、次の各項の発明に存する。
［１］  固定刃（１２）と、回転体（１０）に装着された回転刃（１１）とを対向させ、前記固定刃（１２）側からストランドを挿入してペレット状に切断するストランド切断機（１）のストランド送出し装置（２０）において、
ストランドを上下から挟んで送り出す上部送出しローラ（２２）および下部送出しローラ（２３）と、前記上部送出しローラ（２２）を回転自在に枢支する支持部材（２４）と、前記上部送出しローラ（２２）および下部送出しローラ（２３）によって送り出されたストランドの進行方向の前記固定刃（１２）手前で前記ストランドの上方に配置され、前記ストランドの跳上りを止める跳上り防止部材（３０）と、を備え、
前記跳上り防止部材（３０）は、基端部（３３）が前記支持部材（２４）に枢支されたアーム（３１）と、該アーム（３１）の先端部に設けられ、前記ストランドの跳上りを抑える抑止部（３２）と、を有し、
前記アーム（３１）の基端部（３３）は、前記上部送出しローラ（２２）の回転軸（２２ａ）と同軸に前記支持部材（２４）に枢支されたことを特徴とするストランド送出し装置（２０）。
【００１２】
［２］  前記跳上り防止部材（３０）の抑止部（３２）は、前記送り出されるストランドに面し、該ストランドの進行方向に交差する方向に延びる跳上り抑止面（３４）を有し、前記上部送出しローラ（２２）に接触することなく配設されたことを特徴とする［１］に記載のストランド送出し装置（２０）。
【００１３】
前記本発明は次のように作用する。  
ペレット状に切断されるストランドは、上部送出しローラ（２２）と下部送出しローラ（２３）とに挟まれて固定刃（１２）側からこの固定刃（１２）に対向している回転刃（１１）側に向けて送り出される。回転刃（１１）は、回転体（１０）に装着されている。
【００１４】
ストランドは、回転している回転刃（１１）の刃先が固定刃（１２）の刃先とすれ違うときにこれらによって切断される。このとき、送り出されたストランドの進行方向で固定刃（１２）の手前では、ストランドよりも上方に配置された跳上り防止部材（３０）の抑止部（３２）がストランド切断時のストランドの跳上りを抑えるので、ストランドは円滑に送られて、異常切断されたジャム現象を起こすことがない。
【００１５】
この跳上り防止部材（３０）は、アーム（３１）の基端部（３３）が上部送出しローラ（２２）の回転軸（２２ａ）と同軸に支持部材（２４）に枢支されており、このアーム（３１）の先端部に抑止部（３２）が設けられている。このため、ストランドが切断時にどのような跳上り方をしても抑止部（３２）と上部送出しローラ（２２）との距離は変わらない。したがって、跳上り防止部材（３０）は、上部送出しローラ（２２）の回転を阻害することなく、ストランドを切断する際にストランドの暴れを防止することができる。
【００１６】
送り出されるストランドの進行方向に交差する方向に延び、ストランドに面する跳上り抑止面（３４）を抑止部（３２）に有したものは、上部送出しローラ（２２）に接触することなく配設することにより、上部送出しローラ（２２）の回転を全く阻害することなく、ストランドの暴れを確実に防止することができる。
【発明の効果】
【００１７】
本発明にかかるストランド送出し装置によれば、ストランドの切断にともなうストランドの跳上りを抑える跳上り防止部材は、ストランドが当たる抑止部から延びるアームの基端部が上部送出しローラの回転軸と同軸に支持部材に枢支されているので、抑止部と上部送出しローラとの間隙は常に一定であり、ストランドの切断の際に上部送出しローラの回転を阻害することなく、ストランドの暴れを防止することができる。
【発明を実施するための最良の形態】
【００１８】
以下、図面に基づき本発明の好適な一実施の形態を説明する。  
図１および図２は本発明の一実施の形態を示している。  
図１に示すように、ストランド切断機１は、回転体１０に回転刃１１が装着されており、この回転刃１１とベース１３に備えた固定刃１２とが対向するように配設されている。ストランド送出し装置２０は、切断するストランドをベース１３上で固定刃１２と回転刃１１とが対向する側へ向かう方向（矢印Ａ）に送り出して、固定刃１２と回転する回転刃１１とによって切断させるための装置である。
【００１９】
このストランド送出し装置２０は、ストランドを上下から挟んで送り出す上部送出しローラ２２および下部送出しローラ２３を固定刃１２の手前に備えている。これら上部送出しローラ２２の回転軸２２ａと下部送出しローラ２３の回転軸２３ａとは、それぞれの回転軸の延びる方向が平行になるように配設されている。
【００２０】
上部送出しローラ２２の回転軸２２ａはベース１３のストランド搬送面１４よりも上方に位置し、下部送出しローラ２３の回転軸２３ａはベース１３のストランド搬送面１４よりも下方に位置している。上部送出しローラ２２の外周面と下部送出しローラ２３の外周面とは、ストランド搬送面１４と略同一の高さで相対しており、上部送出しローラ２２の外周面はストランド搬送面１４よりも１〜３．５ｍｍ高い所にある。
【００２１】
上部送出しローラ２２は、外周面がゴムによって被覆されたゴム巻きローラであり、下部送出しローラ２３は、金属製のローラである。下部送出しローラ２３は、不図示の動力源に連結されており、動力源からの動力によって回転させることができる。なお、上部送出しローラ２２と下部送出しローラ２３とは、上部送出しローラ２２が金属ローラであり、下部送出しローラ２３がゴム巻きローラであってもよいし、双方ともにゴム巻きローラであってもよい。
【００２２】
図２に示したように、上部送出しローラ２２の回転軸２２ａが延びる方向には、上部送出しローラ２２の両側に板状の支持部材２４，２４が互いに平行に配設されている。上部送出しローラ２２は、この支持部材２４，２４に回転軸２２ａが枢支されており、自在に回転させることができる。このように回転自在に枢支された上部送出しローラ２２は、回転する下部送出しローラ２３に接触することによって下部送出しローラ２３から回転が伝達されて回転する。
【００２３】
支持部材２４，２４には、ストランドの跳上りを抑えるための跳上り防止部材３０が揺動自在に取付けられている。跳上り防止部材３０は、上部送出しローラ２２および下部送出しローラ２３と固定刃１２との間でストランド搬送面１４の上方に位置するように配設されている。
【００２４】
この跳上り防止部材３０は、２本のアーム３１，３１とこれらの先端部側をつなぐ抑止部３２から成っている。跳上り防止部材３０は、アーム３１，３１のそれぞれの基端部３３，３３が上部送出しローラ２２の回転軸２２ａと同軸に支持部材２４，２４に枢支されている。これにより、跳上り防止部材３０は、どのように揺動しても抑止部３２と上部送出しローラ２２との間隔が変わることなく、自在に揺動することができる。
【００２５】
跳上り防止部材３０の抑止部３２は、送り出されるストランドに面し、ストランドの進行方向に交差する方向に延びる跳上り抑止面３４が形成されている。抑止部３２は、上部送出しローラ２２に接触しないように上部送出しローラ２２から離れた所に位置している。これにより、跳上り防止部材３０がどのように揺動しても抑止部３２は上部送出しローラ２２に接触してしまうことがない。
【００２６】
回転刃１１は、円板状の回転体１０の周縁に沿って等間隔に固定されている。回転体１０には、周縁に沿って取付け台４０が等間隔に固定されており、回転刃１１は、この取付け台４０の取付け面４１にボルト５０によって固定されている。取付け面４１は平面状であるが、上部から下部に向かって垂直面に対してストランド送出し装置２０側に傾斜しており、この取付け面４１に固定された回転刃１１もその刃先が垂直面からストランド送出し装置２０側に向かうように傾斜している。このように回転刃１１が装着された回転体１０は、回転刃１１の刃先が上方から固定刃１２の刃先の前方に降りてくるように回転させることができる。
【００２７】
次に作用を説明する。  
ストランドをペレット状に切断するときは、上記のように回転体１０は、回転刃１１の刃先が上方から下方に向かうように回転しており、下部送出しローラ２３は送出し方向（矢印Ｂ方向）に回転駆動している。矢印Ａ方向から搬送されてきたストランドは、上部送出しローラ２２と下部送出しローラ２３とに挟まれて固定刃１２側から固定刃１２に対向している回転刃１１側に向けてストランド搬送面１４上に送り出される。
【００２８】
送り出されたストランドは、回転している回転刃１１の刃先が固定刃１２の刃先とすれ違うときにこれらによって切断される。回転する回転体１０には複数の回転刃１１が装着されているので、ストランドを連続して送り出すことにより、ストランドを次々と連続してペレットに切断することができる。
【００２９】
ストランドが切断されるときは、ストランドの下側に固定刃１２の刃先が当たっている状態でストランドの上側から回転刃１１の刃先が当たってストランドを下方に押し、これによってストランドが切断される。切断される直前のストランドは、下方に撓んでいるので、切断された直後には残ったストランドの先端部が反動で跳ね上がろうとする。この跳ね上がろうとするストランドの先端部は、上方に配置されている跳上り防止部材３０の抑止部３２の跳上り抑止面３４にぶつかるので、運動エネルギーが跳上り防止部材３０に伝達されて跳上りがほとんど抑えられる。これにより、ストランドは円滑に送られて、異常切断されたジャム現象を起こすことがない。
【００３０】
跳ね上がるストランド先端部の衝突によって跳上り防止部材３０は揺動するが、跳上り防止部材３０のアーム３１の基端部３３が上部送出しローラ２２の回転軸２２ａと同軸に支持部材２４に枢支されているので、ストランドが切断時にどのような跳上り方をしても抑止部３２と上部送出しローラ２２との間隔は変わらず、上部送出しローラ２２の回転を阻害することなく、ストランドを切断する際にストランドの暴れを防止することができる。
【００３１】
したがって、抑止部３２が上部送出しローラ２２に接触することのないように、また、切断したペレットが抑止部３２と上部送出しローラ２２との間に入り込まないように間隔をとって配設することにより、上部送出しローラ２２の回転を全く阻害することなく、ストランドの暴れを確実に防止しながらスムーズにストランドの切断をすることができる。
【図面の簡単な説明】
【００３２】
【図１】本発明の一実施の形態に係るストランド切断機のストランド送出し装置を示す側面図である。
【図２】図１における跳上り防止部材を矢印Ｃ方向から見た図である。
【符号の説明】
【００３３】
１…ストランド切断機
１０…回転体
１１…回転刃
１２…固定刃
１３…ベース
１４…ストランド搬送面
２０…ストランド送出し装置
２２…上部送出しローラ
２２ａ…回転軸
２３…下部送出しローラ
２３ａ…回転軸
２４…支持部材
３０…跳上り防止部材
３１…アーム
３２…抑止部
３３…基端部
３４…跳上り抑止面
４０…取付け台
４１…取付け面
５０…ボルト
【図１】
2007152865.tif 000003
【図２】
2007152865.tif 000004